(57)【特許請求の範囲】
【請求項１】
調理室と、センサ孔の形成された隔壁により前記調理室と分離されており、該センサ孔に対向するセンサが内蔵されたセンサケース、および、調理時に調理室内の水蒸気を除去するために駆動されるファンが設けられる機械室とを備える電子レンジにおいて、
前記ファンの駆動時に発生する空気の流れによって運動する受風部材と、前記ファンの駆動時に前記受風部材の運動に連動して前記センサ孔を開放するとともに、ファンの駆動停止時に受風部材の運動に連動して前記センサ孔を塞ぐ遮断部材とを備え、
前記遮断部材は板状であって前記センサ孔の形成された隔壁と略平行に設けられ、該遮断部材の一端が前記センサケースに回転可能にヒンジ結合されており、
前記受風部材は該遮断部材と一体となった板状であって前記ファンからの隔壁に沿った空気の流れを直接受けて回動するように設けられていることを特徴とする電子レンジのセンサ用の湿気防止装置。
【請求項２】
前記受風部材は、前記ファンにより発生する空気の流れを案内する吸込みガイドの所定位置に回動可能に設けられることを特徴とする請求項１記載の電子レンジのセンサ用の湿気防止装置。
【請求項３】
調理室と、センサ孔の形成された隔壁により前記調理室と分離されており、該センサ孔に対向するセンサが内蔵されたセンサケース、および、調理時に調理室内の水蒸気を除去するために駆動されるファンが設けられる機械室とを備える電子レンジにおいて、
前記ファンの駆動時に発生する空気の流れによって運動する受風部材と、前記ファンの駆動時に前記受風部材の運動に連動して前記センサ孔を開放するとともに、ファンの駆動停止時に受風部材の運動に連動して前記センサ孔を塞ぐ遮断部材とを備え、
前記遮断部材は板状であって前記センサ孔の形成された隔壁と略平行に設けられ、
前記受風部材は該遮断部材と一体となった板状であって前記ファンからの隔壁に沿った空気の流れを直接受けて回動して該センサ孔を開放するように設けられており、
前記受風部材は、前記ファンにより発生する空気の流れを案内する吸込みガイドの所定位置に回動可能に設けられ、
前記吸込みガイドの一方にはヒンジ軸が形成され、前記受風部材と前記遮断部材との間には前記ヒンジ軸が回動可能に挿入される中空部が形成されていることを特徴とする電子レンジのセンサ用の湿気防止装置。
【請求項４】
前記吸込みガイドには固定突起が形成され、前記受風部材と前記遮断部材との間には前記固定突起が挿入される孔が形成されることを特徴とする請求項３記載の電子レンジのセンサ用の湿気防止装置。
【発明の詳細な説明】
【０００１】
【発明の属する技術分野】
本発明は電子レンジのセンサ用の湿気防止装置に関し、より詳しくは電子レンジのセンサに湿気が発生することを防止する電子レンジのセンサ用の湿気防止装置に関する。
【０００２】
【従来の技術】
電子レンジでは、調理過程でいろいろな情報を得るべく各種のセンサを用いる。これらのセンサ中の一つが、調理室の内部温度を感知する赤外線センサである。このようなセンサは、通常、マグネトロン、ファン等の各種部分の設けられる機械室に設置され、調理室の一側壁に形成されたセンサ孔を介して調理室の内部温度を感知するようになっている。このため、調理室から発生する水蒸気が前記センサ孔を介して機械室に流入され、流入された水蒸気により前記センサに湿気が発生するため、これを防止する必要がある。
【０００３】
以下、図１、図２を参照して従来の電子レンジのセンサ用の湿気防止装置を説明する。
【０００４】
電子レンジのボディ１は、隔壁１ａにより調理室２と機械室４とに分けられる。そして、前記機械室４には調理室２の温度を感知するセンサ１２が設けられている。
【０００５】
詳細に説明すれば、ボディ１の所定位置にセンサブラケット５が固定され、前記センサブラケット５にはセンサ１２の内蔵されたセンサケース１０が回転可能に設けられ、前記センサケース１０にはセンサ１２が内蔵される。一方、前記センサブラケット５の一側面には前記センサケース１０を回転させる駆動手段が設けられる。通常、前記駆動手段としてはステップモータ１３を用いる。前記ステップモータ１３は、ギヤ１４等の動力伝達手段を介して回転力をセンサケース１０に伝達する。
【０００６】
次に、このように構成された従来の電子レンジのセンサ用の湿気防止構造の作用を、図２を参照して説明する。
【０００７】
調理時には、センサ１２が調理室の温度を感知する必要があるため、前記センサ１２の内蔵されたセンサケース１０のフィルタ１１が、隔壁１ａに形成されたセンサ孔３に向かうように位置される。
【０００８】
そして、調理の完了後には、ステップモータ１３が駆動されてセンサケース１０が所定の角度に回転され、これによりフィルタ１１が前記センサ孔３に向かわないようになるため、調理室２からの水蒸気が前記センサ孔３を介して流入されて前記フィルタ１１に湿気が発生することが防止される。
【０００９】
【発明が解決しようとする課題】
しかし、前述した従来の電子レンジのセンサ用の湿気防止装置では以下のような問題点があった。
【００１０】
（１）センサケース１０を回転させることで水蒸気の発生を防止する構造であるため、前記センサケース１０を回転させる駆動手段、例えばステップモータ１３、ギヤ１４等を必要とする。このため、構造が複雑となり、所要部品が大きくなり、組立作業が複雑となる。この結果、電子レンジの製造原価が上昇する問題点があった。更に、調理過程に合わせてステップモータ１３を制御しなければならないため、別途のステップモータ制御用のアルゴリズムが必要であるという問題点があった。
【００１１】
（２）ステップモータ１３、ギヤ１４、センサケース１０等が運動するため、駆動部で故障が生じやすいという問題点があった。
【００１２】
本発明は上記の問題点を解決するためになされたものであり、その目的は、別の駆動装置無しに動作可能である、電子レンジのセンサ用の湿気防止装置を提供することにある。
【００１３】
【課題を解決するための手段】
上記目的を達成するための本発明は、調理室と、センサ孔の形成された隔壁により前記調理室と分離される、センサの内蔵されたセンサケース、ファンが設けられる機械室とを備える電子レンジにおいて、電子レンジのセンサ用の湿気防止装置は、前記ファンの駆動時に発生する空気の流れにより運動する受風部材と、前記受風部材の運動によって連動して前記センサ孔を選択的に遮断する遮断部材とを備えることを特徴とする。
【００１４】
前記受風部材は、板状に前記ファンと略平行に設けられ、前記遮断部材は板状に前記センサ孔の形成された隔壁と略平行に設けられる。
【００１５】
前記湿気防止装置は、前記ファンにより発生する空気の流れを案内する吸込みガイドの所定位置に回動可能に設けられるか、或いは前記センサケースに直接に回転可能に設けられる。
【００１６】
前記吸込みガイドの一方にはヒンジ軸が形成され、前記受風部材と前記遮断部材との間には前記ヒンジ軸が回動可能に挿入される中空部が形成されることを特徴としてもよい。
【００１７】
前記吸込みガイドには固定突起が形成され、前記受風部材と前記遮断部材との間には前記固定突起が挿入される孔が形成されることを特徴としてもよい。
【００１８】
前記遮断部材の一端は前記センサケースに回転可能なようにヒンジ結合されることを特徴としてもよい。
【００１９】
このように構成された本発明の湿気防止装置はファンにより駆動され、このため別途の駆動手段無しにも動作可能である。
【００２０】
【発明の実施の形態】
以下、上記目的を具体的に実現できる本発明の好適な実施形態を添付図面を参照して説明する。従来と同様な構成要素は同じ符号を付け、その説明を省略する。
【００２１】
図３は本発明の電子レンジのセンサ用の湿気防止装置の第１実施形態を示す斜視図である。これを参照して第１実施形態の電子レンジのセンサ用の湿気防止装置を説明する。
【００２２】
ボディの所定位置にセンサブラケット５が固定され、前記センサブラケット５にはセンサケース１０が装着される。そして、ファンで発生する空気の流れを案内する吸込みガイド１５には湿気防止装置１００が回転可能に設けられる。
【００２３】
前記湿気防止装置１００について以下に説明する。
【００２４】
湿気防止装置１００は、ファンで発生する空気の流れによって運動する受風部材２２と、前記受風部材２２と連動してセンサ孔３を選択的に遮断する遮断部材２０とを備える。
【００２５】
前記受風部材２２は、空気と接触する面積が広くなるように、板状のものが好ましい。そして、遮断部材２０は、前記センサ孔３を遮断可能な面積であればよいが、前記センサ孔３を容易に遮断できるように面積ができるだけ広い板状のものが好ましい。さらに、受風部材２２は、面積の広い面がファン９に向かうようにして、ファン９による空気によって円滑に運動することができるようにする。前記遮断部材２０は、面積の広い面がセンサ孔３に向かうようにする。これにより、前記受風部材２２と前記遮断部材２０とはほぼ直交するように形成される。
【００２６】
湿気防止装置１００全体の重量中心が受風部材２２側にあるようにして、ファンの停止状態では湿気防止装置１００の自重によって遮断部材２０がセンサ孔３を塞ぐようにし、ファンの駆動時では自重に抗してセンサ孔３を開放するようにすることが好ましい。
【００２７】
次に、上述の湿気防止装置１００の設置構造について説明する。
【００２８】
吸込みガイド１５の一方にはヒンジ軸１６が形成され、前記ヒンジ軸１６の自由端が切除されて上下に係止突起１７が形成される。そして、受風部材２２と遮断部材２０との間には前記ヒンジ１６が回動可能なように挿入される中空部２５が形成されている。
【００２９】
すなわち、前記ヒンジ軸１６が前記中空部２５に挿入されて相互結合されるが、結合された後には前記ヒンジ軸１６に形成された係止突起１７により湿気防止装置１００が離脱されることが防止される。
【００３０】
この際、ファン９の動作によってセンサ孔３を選択的に開閉することができるように、前記遮断部材２０はセンサ孔３とセンサとの間に位置しなければならない。
【００３１】
以下、上述のような電子レンジのセンサ用の湿気防止装置１００の動作を、図４（ａ）、図４（ｂ）を参照して説明する。
【００３２】
図４（ａ）に示すように、電子レンジが動作する前には、湿気防止装置１００は、自重によって所定の位置、つまり遮断部材２０がセンサ孔３を塞ぐ位置に位置する。
【００３３】
調理が始まると、機械室内の各種の部品を放熱し且つ調理室の水蒸気を除去するために、ファン９が回転する。こうなると、図４（ｂ）に示すように、受風部材２２は、ファン９の回転によって発生する空気によって図面上時計方向に回転する。これにより、前記受風部材２２に連結された遮断部材２０も回転して、センサ孔３の開放された状態となる。よって、センサが調理室内の温度を感知することができる。
【００３４】
調理が終了すると、ファン９の回転が停止する。こうなると、受風部材２２を回転させる力が作用しなくなり、このため湿気防止装置１００が自重により図面上反時計方向に回転して元々の位置に戻ってセンサ孔３を塞ぐようになる。よって、センサ孔３を介して流入される水蒸気がセンサに接触することを防止することができる。
【００３５】
本実施形態において、湿気防止装置１００には中空部２５を形成し、吸込みガイド１５には前記中空部２５に挿入されるヒンジ軸１６を形成する場合を図示・説明したが、本発明はこれに限定されない。例えば、図５に示すように、吸込みガイド１５には回転輪４４を形成し、湿気防止装置１１０には前記回転輪４４が挿入される孔４５を形成して、これらを結合してもよい。すなわち、湿気防止装置１１０が回転輪４４を中心として回転してセンサ孔を選択的に開閉することができる。また、図６に示すように、吸込みガイド１５には突起４８を形成し、湿気防止装置１２０には前記突起４８が挿入される孔４９を形成してもよい。動作原理は上述の実施形態と同様である。
【００３６】
本発明は上述の実施形態の構造に限定されず、装置の部分における各部の形状や構造等を適当に変更・変形可能であることはいうまでもない。例えば、受風部材２２や遮断部材２０の形状を適当に変更したり、湿気防止装置１００の結合構造等を適当に変更したりすることができる。
【００３７】
上述の実施形態においては、湿気防止装置１００が吸込みガイド１５に設けられることを図示・説明したが、これに限定されずに適正の位置に設けることもできる。例えば、ボディの所定位置に設けられて機械室内に空気の流れが形成されない場合には、遮断部材２０がセンサ孔３とセンサとの間に位置するようにすればよい。
【００３８】
後述の第４実施形態は上述の実施形態の変形例であり、その動作原理は同様である。単に、湿気防止装置１００の設置構造を変更して湿気防止装置１００をセンサケース１０に結合させる点が、上述の実施形態との相違点である。図７、図８を参照して第４実施形態の電子レンジのセンサ用の湿気防止装置１００を説明する。
【００３９】
センサブラケット５にはセンサの内蔵されたセンサケース１０が結合され、前記センサケース１０には湿気防止装置１００の一端が回動可能に結合される。つまり、遮断部材２０の上端にはヒンジ孔３５の形成された回転中心部材３４が形成され、前記回転中心部材３４は、ヒンジ軸３７を中心として回動できるようにセンサケース１０にヒンジ結合される。勿論、この実施形態でも、遮断部材２０はセンサ孔３とセンサとの間に位置し、受風部材２２はファン９から発生する空気の流れにより運動するように配置される。
【００４０】
上記のように構成された本実施形態の動作は上述の実施形態と同様である。単に、本実施形態における湿気防止装置１００は、ヒンジ軸３７を中心として回転するようになっている。
【００４１】
【発明の効果】
以上説明したように、本発明による電子レンジのセンサ用の湿気防止装置の効果は以下の通りである。
【００４２】
（１）別途の駆動手段を用いずに、既存の電子レンジに使用されるファンの駆動による空気の流れを用いて湿気防止装置を動作させるため、構造が簡単となり、製造コストが低減する。更に、従来に生じた駆動手段の故障がないため、電子レンジの寿命が延長する。更に、従来の駆動手段を駆動する電源を使用しないため、エネルギーを節約することができる。
【００４３】
（２）駆動手段を制御するための制御アルゴリズムを必要としないため、電子レンジに使用される制御アルゴリズムが簡単となる。
【図面の簡単な説明】
【図１】従来の電子レンジのセンサ用の湿気防止装置を示す斜視図である。
【図２】従来の電子レンジのセンサ用の湿気防止装置の動作を示す断面図である。
【図３】本発明の電子レンジのセンサ用の湿気防止装置の第１実施形態を示す分解斜視図である。
【図４】（ａ）および（ｂ）は図３の側面図で、本発明の電子レンジのセンサ用の湿気防止装置の動作を示す図である。
【図５】本発明の電子レンジのセンサ用の湿気防止装置の第２実施形態を示す斜視図である。
【図６】本発明の電子レンジのセンサ用の湿気防止装置の第３実施形態を概略的に示す側面図である。
【図７】本発明の電子レンジのセンサ用の湿気防止装置の第４実施形態を示す斜視図である。
【図８】本発明の電子レンジのセンサ用の湿気防止装置の第４実施形態の動作を示す結合断面図である。
【符号の説明】
１ａ  隔壁
３  センサ孔
５  センサブラケット
１０  センサケース
１５  吸込みガイド
１６  ヒンジ軸
１７  係止突起
２０  遮断部材
２２  受風部材
２５  中空部
１００  湿気防止装置
【図１】
0003572296.tif 000002
【図２】
0003572296.tif 000003
【図３】
0003572296.tif 000004
【図４】
0003572296.tif 000005
【図５】
0003572296.tif 000006
【図６】
0003572296.tif 000007
【図７】
0003572296.tif 000008
【図８】
0003572296.tif 000009